【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
方法であって、
コンピューティング装置が、階層的に配置された複数のコンテンツ・アイテムを含むユーザ・インターフェースをユーザへの提示のために提供する工程であって、階層は１つまたは複数のレイヤを有し、各レイヤは前記ユーザ・インターフェースの少なくとも１つのコンテンツ・アイテムを含む、前記提供する工程と、
前記コンピューティング装置が、階層の構造に従って前記ユーザ・インターフェースをユーザへの提示のために提供する工程であって、
第１のレイヤにおいて前記ユーザ・インターフェースのバックグラウンド・レイヤを提示すること、
前記ユーザ・インターフェースの複数の関連した対話型要素を第２のレイヤにおいて前記第１のレイヤと同時に提示すること、前記複数の関連した対話型要素は、前記バックグラウンド・レイヤと重なっており、各対話型要素は、オンライン・ソーシャル・ネットワーキング・システムによって送信された通知を含む、前記階層の構造に従って前記ユーザ・インターフェースをユーザへの提示のために提供する工程と、
該コンピューティング装置が、該複数の関連した対話型要素のうちの１つを選択するユーザから、少なくとも所定量の持続時間を有する第１のタッチ・ジェスチャ入力を受信する工程と、
該コンピューティング装置が、該第１のタッチ・ジェスチャ入力に応答して、該複数の関連した対話型要素を再配置する工程であって、再配置が、前記バックグラウンド・レイヤと重なる前記第２のレイヤにおいてユーザへの提示のために該複数の関連した対話型要素をスタックすることを含む、前記再配置する工程と、
該コンピューティング装置が、ユーザから第２のタッチ・ジェスチャ入力を受信する工程であって、該第２のタッチ・ジェスチャ入力は、複数の関連した対話型要素のスタックを選択すること、及び複数の関連した対話型要素の前記スタックを前記ユーザ・インターフェースのある方向にスワイプすることを含み、複数の関連した対話型要素の前記スタックのスワイプにより前記スタックが退去する、前記第２のタッチ・ジェスチャ入力を受信する工程と
を含む方法。
【請求項２】
ユーザに提示される関連した対話型要素のスタックの第１の要素が、前記関連した対話型要素のうちの選択された１つを含む、請求項１に記載の方法。
【請求項３】
前記スタックの前記第１の要素が、ユーザに十分に視覚的に提示されており、前記スタックが、前記スタックが追加的な要素を含むという１つまたは複数の視覚的標識を含む、請求項２に記載の方法。
【請求項４】
前記第１のタッチ・ジェスチャ入力が、プレス・アンド・ホールドを含む、請求項１に記載の方法。
【請求項５】
前記第２のタッチ・ジェスチャ入力が、複数の関連した対話型要素の前記スタックの左または右へのスワイプを含む、請求項１に記載の方法。
【請求項６】
前記スタックの退去により、複数の関連した対話型要素が前記ユーザ・インターフェースから徐々に消失する、請求項１に記載の方法。
【請求項７】
システムであって、
１つまたは複数のプロセッサを含むコンピューティング装置と、
該プロセッサに接続され、該プロセッサによって実行可能な命令を含むメモリと
を備え、
該プロセッサが、該命令の実行時に、
階層的に配置された複数のコンテンツ・アイテムを含むユーザ・インターフェースを、ユーザへの提示のために提供し、階層は１つまたは複数のレイヤを有し、各レイヤは前記ユーザ・インターフェースの少なくとも１つのコンテンツ・アイテムを含み、
階層の構造に従って前記ユーザ・インターフェースをユーザへの提示のために提供し、この提示では、
第１のレイヤにおいて前記ユーザ・インターフェースのバックグラウンド・レイヤを提示し、
前記ユーザ・インターフェースの複数の関連した対話型要素を第２のレイヤにおいて前記第１のレイヤと同時に提示し、前記複数の関連した対話型要素は、前記バックグラウンド・レイヤと重なっており、各対話型要素は、オンライン・ソーシャル・ネットワーキング・システムによって送信された通知を含み、
該複数の関連した対話型要素のうちの１つを選択するユーザから、少なくとも所定量の持続時間を有する第１のタッチ・ジェスチャ入力を受信し、
該第１のタッチ・ジェスチャ入力に応答して、該複数の関連した対話型要素を再配置するように動作可能であり、再配置が前記バックグラウンド・レイヤと重なる前記第２のレイヤにおいてユーザへの提示のために該複数の関連した対話型要素をスタックすることを含み、
ユーザから第２のタッチ・ジェスチャ入力を受信し、該第２のタッチ・ジェスチャ入力は、複数の関連した対話型要素のスタックを選択すること、及び複数の関連した対話型要素の前記スタックを前記ユーザ・インターフェースのある方向にスワイプすることを含み、複数の関連した対話型要素の前記スタックのスワイプにより前記スタックが退去する、システム。
【請求項８】
ユーザに提示される関連した対話型要素のスタックの第１の要素が、前記関連した対話型要素のうちの選択された１つを含む、請求項７に記載のシステム。
【請求項９】
前記スタックの前記第１の要素が、ユーザに十分に視覚的に提示されており、前記スタックが、前記スタックが追加的な要素を含むという１つまたは複数の視覚的標識を含む、請求項８に記載のシステム。
【請求項１０】
前記第１のタッチ・ジェスチャ入力が、プレス・アンド・ホールドを含む、請求項７に記載のシステム。
【請求項１１】
前記第２のタッチ・ジェスチャ入力が、複数の関連した対話型要素の前記スタックの左または右へのスワイプを含む、請求項７に記載のシステム。
【請求項１２】
前記スタックの退去により、複数の関連した対話型要素が前記ユーザ・インターフェースから徐々に消失する、請求項７に記載のシステム。
【請求項１３】
動作可能なソフトウェアを実装する１つまたは複数のコンピュータ可読非一時的記憶媒体であって、前記ソフトウェアは、実行時に、
階層的に配置された複数のコンテンツ・アイテムを含むユーザ・インターフェースを、ユーザへの提示のために提供し、階層は１つまたは複数のレイヤを有し、各レイヤは前記ユーザ・インターフェースの少なくとも１つのコンテンツ・アイテムを含み、
階層の構造に従って前記ユーザ・インターフェースをユーザへの提示のために提供し、この提示では、
第１のレイヤにおいて前記ユーザ・インターフェースのバックグラウンド・レイヤを提示し、
前記ユーザ・インターフェースの複数の関連した対話型要素を第２のレイヤにおいて前記第１のレイヤと同時に提示し、前記複数の関連した対話型要素は、前記バックグラウンド・レイヤと重なっており、各対話型要素は、オンライン・ソーシャル・ネットワーキング・システムによって送信された通知を含み、
該複数の関連した対話型要素のうちの１つを選択するユーザから、少なくとも所定量の持続時間を有する第１のタッチ・ジェスチャ入力を受信し、
該第１のタッチ・ジェスチャ入力に応答して、該複数の関連した対話型要素を再配置するように動作可能であり、再配置が前記バックグラウンド・レイヤと重なる前記第２のレイヤにおいてユーザへの提示のために該複数の関連した対話型要素をスタックすることを含み、
ユーザから第２のタッチ・ジェスチャ入力を受信し、該第２のタッチ・ジェスチャ入力は、複数の関連した対話型要素のスタックを選択すること、及び複数の関連した対話型要素の前記スタックを前記ユーザ・インターフェースのある方向にスワイプすることを含み、複数の関連した対話型要素の前記スタックのスワイプにより前記スタックが退去する、媒体。
【請求項１４】
ユーザに提示される関連した対話型要素のスタックの第１の要素が、前記関連した対話型要素のうちの選択された１つを含む、請求項１３に記載の媒体。
【請求項１５】
前記スタックの前記第１の要素が、ユーザに十分に視覚的に提示されており、前記スタックが、前記スタックが追加的な要素を含むという１つまたは複数の視覚的標識を含む、請求項１４に記載の媒体。
【請求項１６】
前記第１のタッチ・ジェスチャ入力が、プレス・アンド・ホールドを含む、請求項１３に記載の媒体。
【請求項１７】
前記第２のタッチ・ジェスチャ入力が、複数の関連した対話型要素の前記スタックの左または右へのスワイプを含む、請求項１３に記載の媒体。
【請求項１８】
オンライン・ソーシャル・ネットワーキング・システムによって送信された前記通知は、メッセージ、好みの表明、友人要求、ポスト、ニュース・アイテム、またはオンライン・ソーシャル・ネットワーキング・システムによってホストされたオンライン・ソーシャル・ネットワークのユーザによるアクションを含む、請求項１に記載の方法。
【請求項１９】
オンライン・ソーシャル・ネットワーキング・システムによって送信された前記通知は、メッセージ、好みの表明、友人要求、ポスト、ニュース・アイテム、またはオンライン・ソーシャル・ネットワーキング・システムによってホストされたオンライン・ソーシャル・ネットワークのユーザによるアクションを含む、請求項７に記載のシステム。
【請求項２０】
オンライン・ソーシャル・ネットワーキング・システムによって送信された前記通知は、メッセージ、好みの表明、友人要求、ポスト、ニュース・アイテム、またはオンライン・ソーシャル・ネットワーキング・システムによってホストされたオンライン・ソーシャル・ネットワークのユーザによるアクションを含む、請求項１３に記載の媒体。